【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
細長物品のジョイントを成形するための金型組立体であって、
前記金型組立体は：
第１の金型部分；
第２の金型部分；
前記第１の金型部分と前記第２の金型部分との間に設置されるコア金型要素；
第１のサーマルプラテン；及び
第２のサーマルプラテン
を含み、
前記第１の金型部分及び前記第２の金型部分、並びに前記コア金型要素は、前記第１のサーマルプラテンと前記第２のサーマルプラテンとの間に設置される、金型組立体。
【請求項２】
前記金型組立体内において所望の圧力を維持するためのプレスを設置するために、前記第２のサーマルプラテンは概ね平坦な底面を有し、前記第１のサーマルプラテンは概ね平坦な上面を有する、請求項１に記載の金型組立体。
【請求項３】
前記第１のサーマルプラテン及び前記第２のサーマルプラテンは、前記金型組立体の加熱及び冷却を提供する、請求項１又は２に記載の金型組立体。
【請求項４】
前記第１のサーマルプラテン及び前記第２のサーマルプラテンはそれぞれ、中央部分及び端部を含み、熱遮断部が前記中央部分と前記端部との間に存在する、請求項３に記載の金型組立体。
【請求項５】
前記第１のサーマルプラテン及び前記第２のサーマルプラテンそれぞれに関して、加熱素子及び冷却流体用のパイプを受承するためのボアが、前記中央部分及び前記端部を通って延在する、請求項４に記載の金型組立体。
【請求項６】
前記第１のサーマルプラテン及び前記第２のサーマルプラテンそれぞれに関して、前記第１のサーマルプラテン及び前記第２のサーマルプラテンの前記端部は、前記端部を冷却するための冷却流体用のボアを備える、請求項５に記載の金型組立体。
【請求項７】
前記第１の金型部分及び前記第２の金型部分はそれぞれ、前記第１の金型部分及び前記第２の金型部分の中央部品と端部部品との間に熱遮断部を備える、請求項１〜６のいずれか１項に記載の金型組立体。
【請求項８】
前記第１の金型部分は上側金型部分であり、２つの側部ピース及び１つの隆起中央ピースを含み、各前記側部ピースは、１つの中央部品及び２つの端部部品を含み、熱遮断部が前記中央部品と前記端部部品との間に存在し、前記隆起中央ピースは、前記側部ピースの上方に延在して、前記側部ピースの前記中央部品を接続する、請求項７に記載の金型組立体。
【請求項９】
前記細長物品は手すりであり、前記コア金型要素は中央部品及び端部部品を含み、前記中央部品及び前記端部部品はそれぞれ、前記手すりの内部のＴ字型スロットに対応する断面を有する、請求項８に記載の金型組立体。
【請求項１０】
前記端部部品は、前記手すりの前記Ｔ字型スロットへの挿入を容易にするために、テーパ加工された表面を有する、請求項９に記載の金型組立体。
【請求項１１】
前記コア金型要素の前記中央部品と前記端部部品との間に断熱ピースを含む、請求項９又は１０の金型組立体。
【請求項１２】
前記コア金型要素の前記中央部品は、ミドルセクションの両側に隆起ピースを含み、前記ミドルセクションは、前記第１の金型部分の前記隆起中央ピースの長方形チャネルに嵌合される、請求項９〜１１のいずれか１項に記載の金型組立体。
【請求項１３】
前記隆起ピースは、前記コア金型要素の前記中央部品に取り付けられた別個のプレートを含むことにより、プッシュオフ機能を提供し、前記コア金型要素の前記端部部品は、前記隆起ピースと同一平面上にある、請求項１２に記載の金型組立体。
【請求項１４】
前記第２の金型部分は、熱遮断部、及び前記細長物品の上面を画定する中央チャネル、及び熱可塑性材料のオーバフローのための、前記中央チャネルの両側のオーバフローチャネルを含む、請求項１〜１３のいずれか１項に記載の金型組立体。
【請求項１５】
前記第１の金型部分と前記第２の金型部分とを整列させる整列用ピンのための開口を含む、請求項１〜１４のいずれか１項に記載の金型組立体。
【請求項１６】
前記コア金型要素の端部部品は、ネジによって前記コア金型要素の中央部品に固定され、ダボが、前記コア金型要素の前記中央部品と前記端部部品とを整列させるため設けられる、請求項１〜１５のいずれか１項に記載の金型組立体。
【請求項１７】
前記第２のサーマルプラテンの前記中央部分及び前記端部はそれぞれ概ね長方形であり、前記第２のサーマルプラテンは、前記第２の金型部分の底面に当接するための平坦な上面を備える、請求項１〜１６のいずれか１項に記載の金型組立体。
【請求項１８】
前記第１のサーマルプラテンは上側サーマルプラテンであり、平面の下側表面を備え、前記下側表面は、前記第１の金型部分の隆起中央ピースを収容するための中央凹部と、前記コア金型要素を収容するための、中央部品の前記中央凹部から端部部品を通って延在する、浅い長方形チャネルとを含む、請求項１〜１７のいずれか１項に記載の金型組立体。
【請求項１９】
金型組立体を用いて、手すり又は他の細長物品の組み立て済みジョイントを成形するための方法であって、
前記方法は：
ａ）前記金型組立体のコア要素を、前記組み立て済みジョイントのＴ字型スロットに嵌合するステップ；
ｂ）前記コア要素及び嵌合されたジョイントを、前記金型組立体の第１の金型部分と第２の金型部分との間に配置するステップ；
ｃ）前記金型組立体を閉鎖するために、前記第１の金型部分及び前記第２の金型部分に圧力を印加して、前記金型組立体内の圧力を略閉鎖圧力まで上昇させるステップ：
ｄ）加熱段階全体を通して、前記金型組立体及びスプライスドジョイントに熱を印加して、前記金型組立体内の温度を周囲温度から均熱温度へと上昇させるステップであって、前記加熱段階全体を通して、前記金型組立体内の圧力を略前記閉鎖圧力に維持したまま実施される、ステップ；
ｅ）前記加熱段階の後、均熱化段階全体を通して、前記金型組立体内の温度を少なくとも前記均熱温度に維持し、前記金型組立体内の圧力を略前記閉鎖圧力に維持するステップ；
ｆ）前記均熱化段階の後、冷却段階全体を通して、前記金型組立体及び前記スプライスドジョイントから熱を除去することにより、前記金型組立体内の温度を前記周囲温度まで低下させるステップであって、前記冷却段階全体を通して、前記金型組立体内の圧力を略前記閉鎖圧力に維持したまま実施される、ステップ；
ｇ）前記金型内の圧力を前記閉鎖圧力から低下させることによって、前記コア要素及び嵌合された前記スプライスドジョイントを、前記金型組立体から取り外すステップ；並びに
ｈ）前記コア要素を、成形済みの前記スプライスドジョイントの前記Ｔ字型スロットから取り外すステップ
を含む、方法。
【請求項２０】
前記ステップａ）において、前記組み立て済みスプライスドジョイントのリップを曲げることによって、前記コア要素を前記組み立て済みジョイントの前記Ｔ字型スロットに嵌合できる、請求項１９に記載の方法。
【請求項２１】
前記ステップｃ）において、前記閉鎖圧力は少なくとも１０００ｐｓｉｇである、請求項１９又は２０に記載の方法。
【請求項２２】
前記ステップｄ）では、前記第１の金型部分及び前記第２の金型部分の加熱素子によって、熱を前記金型組立体及び前記スプライスドジョイントに印加する、請求項１９〜２１のいずれか１項に記載の方法。
【請求項２３】
前記ステップｄ）では、前記均熱温度は少なくとも１７０℃である、請求項１９〜２２のいずれか１項に記載の方法。
【請求項２４】
前記スプライスドジョイントは、少なくとも３０秒の期間にわたって、前記均熱温度に維持され、これにより、様々な熱可塑性構成要素を溶融させて一体に接着することによって、完全なスプライスドジョイントを形成する、請求項２３に記載の方法。
【請求項２５】
前記ステップｆ）では、前記加熱素子をオフにすることによって、前記金型組立体から熱を除去する、請求項２２〜２４のいずれか１項に記載の方法。
【請求項２６】
前記ステップｆ）では、前記第１の金型部分及び前記第２の金型部分の冷却チャネルを通過する冷却流体によって、前記金型組立体から熱を除去する、請求項１９〜２５のいずれか１項に記載の方法。
【請求項２７】
前記加熱段階、前記均熱化段階、及び／又は前記冷却段階全体を通して、前記金型組立体の空気圧アクチュエータは、前記コア要素にコア圧力を印加して、前記スプライスドジョイントの特性を改善する、請求項１９〜２６のいずれか１項に記載の方法。
【請求項２８】
前記ステップｇ）では、前記金型組立体の空気圧アクチュエータは、前記コア要素を、前記第１の金型要素から離れるように変位させ、前記コア要素及び前記スプライスドジョイントは、前記第２の金型部分から取り外される、請求項１９〜２７のいずれか１項に記載の方法。